(57)【要約】【課題】      歩行者の頭部などの衝突時における安全性と、エンジンルーム内の熱害対策とを両立することができる車両用フロントフードを提供することを目的とする。【解決手段】  車両用フロントフード本体１に取り付けられ、エンジンルーム３側と車外とを連通する開口部を有するカバー部材４と、カバー部材４とエンジンルーム３内の内蔵物２との間に箱状部材５を設けて、歩行者の頭部などがカバー部材４に衝突すると、カバー部材４がエンジンルーム３側に屈曲して変形し、衝突時の衝撃エネルギをカバー部材４にて吸収し、またカバー部材４の変形だけでは前記衝撃エネルギを吸収しきれず、前記歩行者の頭部などのエンジンルーム３側への侵入量が多くなっても、前記衝撃エネルギを箱状部材５にて吸収するようにする一方、カバー部材４の開口部、箱状部材５を通って、外気をエンジンルーム内に流入すると共に、内蔵物２から生じる熱気を排出するようにした。【選択図】        図２
2006160018.tif 000002
【特許請求の範囲】
【請求項１】
車両用フロントフード本体に取り付けられ、エンジンルームと車外とを連通する開口部を有するカバー部材と、
前記カバー部材と前記エンジンルーム内の内蔵物との間に衝撃吸収部を設けた
ことを特徴とする車両用フロントフード。
【請求項２】
前記衝撃吸収部は、前記カバー部材側と前記エンジンルーム側とを連通して開口した箱状部材である
ことを特徴とする請求項１に記載の車両用フロントフード。
【請求項３】
前記箱状部材の前方が開口している
ことを特徴とする請求項２に記載の車両用フロントフード。
【請求項４】
前記箱状部材に通気孔が形成される
ことを特徴とする請求項２または３に記載の車両用フロントフード。
【請求項５】
前記箱状部材の側壁には、衝撃を受けた際に変形の起点となる変形起点部を設ける
ことを特徴とする請求項２乃至請求項４の何れかに記載の車両用フロントフード。
【請求項６】
前記衝撃吸収部の中空部を区切る縦壁部材を設ける
ことを特徴とする請求項１乃至請求項５の何れかに記載の車両用フロントフード。
【請求項７】
前記カバー部材の上面が、該カバー部材取付部近傍の前記車両用フロントフード本体の上面より高くなる
ことを特徴とする請求項１乃至６の何れかに記載の車両用フロントフード。
【発明の詳細な説明】
【技術分野】
【０００１】
本発明は、車両用フロントフードに関する。
【背景技術】
【０００２】
内燃機関などが設置されるエンジンルームの上方を覆うものとして、車両用フロントフードが用いられている。近年、車両用フロントフードの衝撃緩和性能を規定する歩行者頭部保護基準が導入され、前記車両用フロントフードには、大人や子供などの頭部が衝突した際の安全性の確保、すなわち、歩行者の頭部衝突時の安全性の基準として、ＨＩＣ値（Head Injury Criteria、頭部傷害値）が、例えば1000以下であることが求められるようになってきた。とりわけ評価エリア対象である車両用フロントフードには、頭部インパクタ（頭部模擬装置）を直接衝突させ、頭部インパクタに内蔵される加速度計から傷害値を算出して評価する為、構造に工夫が必要となっている。
【０００３】
歩行者の頭部衝突時の安全性能を確保したものの一例として、下記特許文献１に記載の車体パネルがある。この車体パネルでは、アウタパネル裏面にインナパネルが接合され、インナパネルにはアウタパネル側に頂部が向かう凸部が形成されると共に、インナパネルの裏面に凸部を有する補強パネルが接合されており、補強パネルの凸部は、その頂部が車体パネルの内側に向かう形状となっている。
【０００４】
一方、従来の車両用フロントフードの一例を挙げると、図５，６に示すように、車両用フロントフード１０１には、エンジンルーム１００内に配置される内燃機関などの内蔵物（図示せず）から生じる熱気を排出（流出）したり、前記内蔵物を冷却する外気を流入したりするため、エンジンルーム１００内外を連通し、外気の流出・流入経路として機能する穴開き部１０１ａが形成されている。この穴開き部１０１ａには、メッシュ１０２が艤装されている。
【０００５】
【特許文献１】特開２００３−２６１０７０号公報
【発明の開示】
【発明が解決しようとする課題】
【０００６】
しかしながら、図５，６に示した車両用フロントフード１０１に上述した歩行者頭部保護基準である歩行者頭部保護性能試験を実施し、頭部インパクタが車両用フロントフード１０１の穴開き部１０１ａに衝突したときには、メッシュ１０２は艤装部品であって拘束力が弱いため、メッシュ１０２を貫通して、上述したエンジンルーム１００内の内蔵物と衝突したり、図７に示すように、貫通しなくとも穴開き部１０１ａでは頭部インパクタＨの衝突エネルギを吸収する荷重の確保が困難な為、頭部インパクタＨの侵入量が多くなり、エンジンルーム１００内の内蔵物１０３と衝突したりして、頭部インパクタＨへの衝撃エネルギである前記ＨＩＣ値が大きくなり、高い傷害値を発生させる可能性が高くなってしまう、という問題があった。
【０００７】
また、車両用フロントフード１０１に上記特許文献１に記載の車体パネルを利用することが考えられるが、前記車体パネルへ衝突した際の頭部インパクタへの衝撃エネルギを緩和して歩行者の頭部衝突時における安全性を確保することができるものの、エンジンルーム内の熱気を排出したり、エンジンルーム内に外気を流入したりすることができず、歩行者の頭部衝突時における安全性の確保と、エンジンルーム内の熱害対策との両立を図ることができなかった。
【０００８】
そこで、本発明は、前述した問題に鑑み提案されたもので、歩行者の頭部などの衝突時における安全性と、エンジンルーム内の熱害対策とを両立することができる車両用フロントフードを提供することを目的とする。
【課題を解決するための手段】
【０００９】
上述した課題を解決する第１の発明に係る車両用フロントフードは、車両用フロントフード本体に取り付けられ、エンジンルームと車外とを連通する開口部を有するカバー部材と、前記カバー部材と前記エンジンルーム内の内蔵物との間に衝撃吸収部を設けたことを特徴とする。
【００１０】
上述した課題を解決する第２の発明に係る車両用フロントフードは、第１の発明に記載された車両用フロントフードであって、前記衝撃吸収部が、前記カバー部材側と前記エンジンルーム側とを連通して開口した箱状部材であることを特徴とする。
【００１１】
上述した課題を解決する第３の発明に係る車両用フロントフードは、第２の発明に記載された車両用フロントフードであって、前記箱状部材の前方が開口していることを特徴とする。
【００１２】
上述した課題を解決する第４の発明に係る車両用フロントフードは、第２の発明または第３の発明に記載された車両用フロントフードであって、前記箱状部材に通気孔が形成されることを特徴とする。
【００１３】
上述した課題を解決する第５の発明に係る車両用フロントフードは、第２の発明乃至第４の発明の何れかに記載された車両用フロントフードであって、前記箱状部材の側壁には、衝撃を受けた際に変形の起点となる変形起点部を設けることを特徴とする。
【００１４】
上述した課題を解決する第６の発明に係る車両用フロントフードは、第１の発明乃至第５の発明の何れかに記載された車両用フロントフードであって、前記衝撃吸収部の中空部を区切る縦壁部材を設けることを特徴とする。
【００１５】
上述した課題を解決する第７の発明に係る車両用フロントフードは、第１の発明乃至第６の発明の何れかに記載された車両用フロントフードであって、前記カバー部材の上面が、該カバー部材取付部近傍の前記車両用フロントフード本体の上面より高くなることを特徴とする。
【発明の効果】
【００１６】
第１の発明に係る車両用フロントフードによれば、前記カバー部材の開口部を通って、前記エンジンルーム内の内蔵物から生じる熱気を排出することができると共に、前記エンジンルーム内に外気を流入して前記内蔵物を冷却することができる。さらに、前記カバー部材の上部に歩行者の頭部などが衝突し、前記カバー部材が前記エンジンルーム側に変形し、前記エンジンルーム内への侵入量が多くなっても、前記衝撃吸収部により、前記衝突時の衝撃エネルギが吸収されるので、前記歩行者の頭部などが前記内蔵物と衝突しても前記歩行者の頭部などへの衝撃エネルギが小さく、歩行者の頭部などの衝突時における安全性を確保することができる。
【００１７】
第２の発明に係る車両用フロントフードによれば、前記第１の発明と同様な作用効果を奏する他、前記エンジンルーム内の内蔵物の熱気を前記カバー部材側に排出する一方、前記カバー部材を通って流入した外気を前記エンジンルーム内に流入するので、前記エンジンルーム内の内蔵物を効率良く冷却することができる。
【００１８】
第３の発明に係る車両用フロントフードによれば、第２の発明と同様な作用効果を奏する他、車両走行時に車両の前側からエンジンルーム内に流入した外気の流れを利用して、前記エンジンルーム内の内蔵物の熱気が前記箱状部材、前記カバー部材を通って前記エンジンルームの外に排出されるので、前記エンジンルーム内の内蔵物をより早く冷却することができる。
【００１９】
第４の発明に係る車両用フロントフードによれば、前記第２または第３の発明と同様な作用効果を奏する他、前記エンジンルーム内の内蔵物の熱気が前記箱状部材の通気孔を通って前記カバー部材側に排出すると共に、前記カバー部材から流入した外気が前記箱状部材の通気孔を通って前記エンジンルーム内に流入するので、前記エンジンルーム内の内蔵物をより一層早く冷却することができる。また、前記箱状部材の軽量化を図ることができる。さらに、前記箱状部材による衝撃エネルギの吸収量を多くすることができる。
【００２０】
第５の発明に係る車両用フロントフードによれば、第２乃至第４の発明と同様な作用効果を奏する他、前記箱状部材が衝撃を受けた際に前記変形起点部にて変形するので、変形箇所を限定したり、変形量を調整したりすることができ、前記カバー部材に歩行者の頭部などが衝突した際の衝撃エネルギを前記箱状部材にて効率良く吸収することができる。
【００２１】
第６の発明に係る車両用フロントフードによれば、第１の発明乃至第５の発明と同様な作用効果を奏する他、前記カバー部材に歩行者の頭部などが衝突して、前記カバー部材が前記エンジンルーム側へ変形し、前記歩行者の頭部などのエンジンルーム内への侵入量が多くなっても、前記縦壁部材により前記衝突時の衝撃エネルギを吸収することができるので、前記衝撃エネルギの吸収量を多くすることが可能となる。
【００２２】
第７の発明に係る車両用フロントフードによれば、第１の発明乃至第６の発明と同様な作用効果を奏する他、前記カバー部材と前記エンジンルーム内の内蔵物との距離が長くなり、その分歩行者の頭部などが前記カバー部材に衝突した際の衝撃エネルギを吸収することができるので、歩行者の頭部などの衝突時における安全性をさらに向上させることができる。
【発明を実施するための最良の形態】
【００２３】
以下に、本発明に係る車両用フロントフードを実施するための最良の形態を実施例に基づき具体的に説明する。
【実施例１】
【００２４】
図１は、本発明の第１の実施例に係る車両用フロントフードを備えた車両の斜視図であり、図２は、図１におけるＩＩ−ＩＩ矢視断面図であり、図３は、本発明の第１の実施例に係る車両用フロントフードに用いられるカバー部材及び箱状部材の斜視図である。図４は、本発明の第１の実施例に係る車両用フロントフードに対し歩行者頭部保護性能試験を実施したときの説明図であり、図４（ａ）に車両用フロントフードのカバー部材に頭部インパクタが衝突する前の状態、図４（ｂ）に車両用フロントフードのカバー部材に頭部インパクタが衝突したときの状態、図４（ｃ）に車両用フロントフードのカバー部材に頭部インパクタが衝突して変形したときの状態を示す。図２、図３および図４における矢線ＦＲは、車両の前側を示す。
【００２５】
本発明の第１の実施例に係る車両用フロントフード１０には、図１，２に示すように、穴開き部１ａが形成された車両用フロントフード本体１に取り付けられ、エンジンルーム３と車外とを連通する開口部４ｂを有するカバー部材４と、カバー部材４とエンジンルーム３内の内蔵物２、例えば車両の内燃機関などとの間に衝撃吸収部である箱状部材５とが設けられている。穴開き部１ａには、カバー部材４が艤装されており、カバー部材４はカバー部材取付部近傍の車両用フロントフード本体１の上面１ｂより高く形成された凸部４ａを有している。開口部４ｂは複数形成されている。
【００２６】
箱状部材５は、図２，３に示すように、カバー部材４に取り付けられ、エンジンルーム３内における車両の前側と、カバー部材４側となる上方とが開口した車両前後方向で断面Ｌ字状であり、底板５ａと、底板５ａから上方に延びる側壁５ｂとからなっている。箱状部材５をこのような形状とすることにより、エンジンルーム３内の内蔵物２などから生じる熱気を効率良く排出することができる。箱状部材５の側壁５ｂにおける車両前後方向に、箱状部材５の外側に向かって突起した変形起点部５ｃが形成されている。箱状部材５が所定の大きさより大きな衝撃エネルギを受けると変形起点部５ｃが起点となり側壁５ｂが屈曲して変形するので、変形箇所を限定したり、変形量を調整したりすることができ、箱状部材５にて衝撃エネルギを効率良く吸収することができる。
【００２７】
上述したように、箱状部材５とカバー部材４とにより、エンジンルーム３側と車外とを連通して開口しているので、車両が走行しているとき車両用フロントフード本体１の上面近傍の空気流により、カバー部材４の開口部４ｂ近傍では負圧となり、エンジンルーム３内の内蔵物２などから生じる熱気が箱状部材５を通ってカバー部材４の開口部４ｂから排出される。また、外気がカバー部材４および箱状部材５を通ってエンジンルーム３内に流入する。よって、エンジンルーム３内の内蔵物２をより早く冷却することができる。
【００２８】
以下に、車両用フロントフード１０に対し歩行者頭部保護性能試験を実施した時の作用について説明する。
【００２９】
図４（ａ）に示すように、車両用フロントフード本体１の穴開き部１ａにはカバー部材４が艤装されており、カバー部材４には箱状部材５が取り付けられている。ただし、箱状部材５の底板５ａとエンジンルーム３内の内蔵物２との間には隙間Ｌがあり、エンジンルーム３内の内蔵物２が振動しても箱状部材５に伝わらないようになっている。
【００３０】
図４（ｂ）に示すように、歩行者の頭部を模擬した頭部インパクタＨがカバー部材４に衝突すると、カバー部材４の凸部４ａがエンジンルーム３側に屈曲して変形する。このとき、衝突時の衝撃エネルギがカバー部材４に吸収される。
【００３１】
上述したようにカバー部材４の凸部４ａが変形しても、前記衝撃エネルギが十分小さくなっていない場合、すなわち前記衝撃エネルギが前記カバー部材４の変形によっても吸収しきれていない場合には、図４（ｃ）に示すように、頭部インパクタＨがカバー部材４をエンジンルーム３側にさらに押し込む（侵入する）。このとき、箱状部材５の底板５ａがエンジンルーム３内の内蔵物２に接して、前記衝撃エネルギが箱状部材５の変形起点部５ｃに集中してこの変形起点部５ｃにて屈曲して変形する。
【００３２】
このように、カバー部材４へ衝突した際の頭部インパクタＨへの衝撃エネルギが大きく、カバー部材４がエンジンルーム３側に変形し、エンジンルーム３内への侵入量が多くなっても、箱状部材５により、前記衝突時の前記衝撃エネルギが吸収されるので、歩行者の頭部などがエンジンルーム３内の内蔵物２と衝突しても歩行者の頭部などへの衝撃エネルギが小さく、歩行者の頭部衝突時における安全性を確保することができる。また、カバー部材４の凸部４ａが車両用フロントフード本体１の上面１ｂより高くなっており、カバー部材４の凸部４ａとエンジンルーム３内の内蔵物２との間の距離が長くなっているので、その分前記衝撃エネルギを吸収することができるので、歩行者の頭部などの衝突時における安全性をさらに向上させることができる。
【００３３】
上記では、穴開き部１ａが形成された車両用フロントフード本体１にカバー部材４と箱状部材５とを適用した車両用フロントフード１０を用いて説明したが、穴開き部が形成されていない車両用フロントフード本体に箱状部材５のみを適用しても良く、上記第１の実施例に係る車両用フロントフードと同様の作用効果を奏する。
【００３４】
上記では、車両前後方向で断面Ｌ字状の箱状部材５を用いて説明したが、エンジンルーム側とカバー部材側とを連通して開口した形状であれば良く、例えば、車両前後方向で断面Ｕ字状に形成された箱状部材であっても良い。このような形状の箱状部材であっても、第１の実施例に係る車両用フロントフードと同様な作用効果を奏する。
【００３５】
また、箱状部材５の底板５ａや側壁５ｂなどに、通気孔を複数形成しても良く、箱状部材をこのような形状にすることにより、前記エンジンルーム内の内蔵物の熱気が前記箱状部材の通気孔を通って前記カバー部材側に排出すると共に、カバー部材から流入した外気が前記箱状部材の通気孔を通って前記エンジンルーム内に流入するので、前記エンジンルーム内の内蔵物をより一層早く冷却することができる。また、前記箱状部材の軽量化を図ることができる。さらに、前記箱状部材による衝撃エネルギの吸収量を多くすることができる。
【００３６】
また、上記では、箱状部材５の側壁５ｂの一部に変形起点部５ｃを形成した箱状部材を用いて説明したが、変形起点部５ｃを側壁５ｂの全周囲にわたって形成しても良い。箱状部材をこのような形状にすることにより、歩行者の頭部などが前記カバー部材に衝突して前記カバー部材が変形し、この変形に伴い前記箱状部材が前記衝突時の衝撃エネルギを受けても、前記変形起点部を起点にして容易に屈曲するので、前記衝撃エネルギを効果的に緩和することができる。
【００３７】
上記では、底板５ａと側壁５ｂとで囲まれる中空部に何も設置していない箱状部材５を用いたが、箱状部材の中空部にこの中空部を区切る縦壁部材を設けても良い。前記縦壁部材を設けることによって、歩行者の頭部などが前記カバー部材に衝突して、前記カバー部材がエンジンルーム側へ変形し、前記歩行者の頭部などのエンジンルーム内への侵入量が多くなっても、前記縦壁部材により前記衝突時の衝撃エネルギを吸収することができるので、前記衝撃エネルギの吸収量を多くすることが可能となる。
【産業上の利用可能性】
【００３８】
本発明は、車両用フロントフードに利用することが可能である。
【図面の簡単な説明】
【００３９】
【図１】本発明の第１の実施例に係る車両用フロントフードを備えた車両の斜視図である。
【図２】図１におけるＩＩ−ＩＩ矢視断面図である。
【図３】本発明の第１の実施例に係る車両用フロントフードに用いられるカバー部材及び箱状部材の斜視図である。
【図４】本発明の第１の実施例に係る車両用フロントフードに対し歩行者頭部保護性能試験を実施したときの説明図である。
【図５】従来の車両用フロントフードを備えた車両の斜視図である。
【図６】図５におけるＶＩ−ＶＩ矢視断面図である。
【図７】従来の車両用フロントフードに対し頭部衝撃保護性能試験を実施したときの説明図である。
【符号の説明】
【００４０】
１      車両用フロントフード本体
２      内蔵物
３      エンジンルーム
４      カバー部材
５      箱状部材
１０    車両用フロントフード
【図１】
2006160018.tif 000003
【図２】
2006160018.tif 000004
【図３】
2006160018.tif 000005
【図４】
2006160018.tif 000006
【図５】
2006160018.tif 000007
【図６】
2006160018.tif 000008
【図７】
2006160018.tif 000009